(57)【要約】【課題】  表示装置において、同一回路によって電源オフ残像の防止及び白表示モードを実現することができ、かつ、白表示モードにおける低消費電力化を実現する。【解決手段】  表示装置１において、互いに交差させて設けられた複数の走査線２１及び複数の信号線２２と、複数の走査線２１をそれぞれ駆動し、かつ、電源をオフするシャットダウン又は白表示を行う白表示モードに応じて複数の走査線２１を一括駆動する走査線駆動回路１３と、シャットダウン又は白表示モードに応じて複数の信号線２２に対向電極の対向電極電圧を供給する供給回路１５とを備える。【選択図】    図２
2006308982.tif 000002
【特許請求の範囲】
【請求項１】
互いに交差させて設けられた複数の走査線及び複数の信号線と、
前記複数の走査線及び前記複数の信号線に交差点毎にそれぞれ接続された複数のスイッチ素子と、
前記複数のスイッチ素子にそれぞれ接続された複数の画素電極及び複数の補助容量と、
前記複数の画素電極に対向させて設けられた対向電極と、
前記複数の画素電極と前記対向電極との間に設けられた表示層と、
前記複数の走査線をそれぞれ駆動し、かつ、電源をオフするシャットダウン又は白表示を行う白表示モードに応じて前記複数の走査線を一括駆動する走査線駆動回路と、
前記複数の信号線をそれぞれ駆動する信号線駆動回路と、
前記シャットダウン又は前記白表示モードに応じて前記複数の信号線に前記対向電極の対向電極電圧を供給する供給回路と、
を備えることを特徴とする表示装置。
【請求項２】
前記供給回路は、前記信号線駆動回路による前記複数の信号線の駆動を補助する補助電圧を供給するプリチャージに応じて、前記複数の信号線に前記補助電圧として前記対向電極電圧を供給することを特徴とする請求項１記載の表示装置。
【請求項３】
前記供給回路は、前記複数の信号線にそれぞれ接続され、前記シャットダウン又は前記白表示モードに応じて変位する制御信号に基づいてオン／オフし、前記対向電極電圧を供給する複数の第１のスイッチを備えていることを特徴とする請求項１又は２記載の表示装置。
【請求項４】
互いに交差させて設けられた複数の走査線及び複数の信号線と、
前記複数の走査線及び前記複数の信号線に交差点毎にそれぞれ接続された複数のスイッチ素子と、
前記複数のスイッチ素子にそれぞれ接続された複数の画素電極及び複数の補助容量と、
前記複数の走査線をそれぞれ駆動し、かつ、電源をオフするシャットダウンに応じて前記複数の走査線を一括駆動する走査線駆動回路と、
前記複数の信号線をそれぞれ駆動する信号線駆動回路と、
前記複数の画素電極に対向させて設けられ、極性反転する対向電極電圧を受ける対向電極と、
前記複数の画素電極と前記対向電極との間に設けられた表示層と、
前記信号線駆動回路による前記複数の信号線の駆動を補助する補助電圧を供給するプリチャージ又は前記シャットダウンに応じて、前記対向電極電圧及び前記対向電極電圧と異なるプリチャージ電圧のいずれか一方を選択して前記複数の信号線に供給する選択供給回路と、
を備えることを特徴とする表示装置。
【請求項５】
前記選択供給回路は、
前記シャットダウンに応じて変位する制御信号に基づいてオン／オフし、前記対向電極電圧又は前記プリチャージ電圧のいずれか一方を選択する第２のスイッチと、
前記第２のスイッチと前記複数の信号線との間にそれぞれ接続され、前記プリチャージに応じて変位する制御信号に基づいてオン／オフし、前記第２のスイッチにより選択された前記対向電極電圧又は前記プリチャージ電圧のいずれか一方を前記複数の信号線に供給する複数の第３のスイッチと、
を備えていることを特徴とする請求項４記載の表示装置。
【発明の詳細な説明】
【技術分野】
【０００１】
本発明は、表示装置に関する。
【背景技術】
【０００２】
表示装置としては、液晶を用いた液晶表示装置が様々な分野で使用されている。液晶表示装置は、薄型で軽量及び低消費電力であるため、携帯情報端末、コンピュータ及びテレビ等に用いられている。
【０００３】
このような液晶表示装置は、互いに交差させて設けられた複数の走査線及び複数の信号線、それらに交差点毎にそれぞれ接続された複数のスイッチ素子、それらのスイッチ素子にそれぞれ接続された複数の画素電極及び複数の補助容量、各走査線をそれぞれ駆動する走査線駆動回路、各信号線をそれぞれ駆動する信号線駆動回路、各画素電極に対向する対向電極を有する対向基板、及びアレイ基板と対向基板との間に保持された液晶層等を備えている。
【０００４】
このような液晶表示装置において、電源をオフするシャットダウンが行われた場合には、画素電極は補助容量によって直前の電位を保持する。その後、補助容量は周辺配線やＴＦＴ（薄膜トランジスタ）等の高抵抗経路を介して徐々に放電されるため、画素電極は最終的に対向電極と同電位になる。このとき、画素電極と対向電極が同電位になるまである程度の時間を要するため、直前の表示画面はホールドされて徐々に消えていくという挙動が生じる。これが電源オフ残像として視認される。
【０００５】
この電源オフ残像を防止する技術としては、シャットダウン直前のある一定期間に走査線を駆動して白表示用の電圧を画素電極に加えたり、あるいは、走査線を駆動して信号線から画素電極の残留電荷を放電したりすることによって、画素電極と対向電極とを同電位にする技術が提案されている（例えば特許文献１参照）。
【０００６】
また、液晶表示装置をビデオカメラに搭載した場合等には、撮影対象物を照らす照明として液晶表示装置を使用することがある。この場合には、液晶表示装置は、白表示モード、例えば夜間撮影モードとして、特別な制御回路により走査線駆動回路及び信号線駆動回路を制御し、走査線駆動回路及び信号線駆動回路による表示動作により白表示を行う。
【０００７】
一方、近年、表示の高精細化に伴って、信号線駆動回路により信号線に映像信号（画像信号）を書き込む際の書き込み時間（アナログスイッチのオン時間）が短くなってきている。このため、信号線に所望の映像信号を書き込むことが困難になり、コントラスト低下等の表示品位の低下が生じている。これを防止する技術としては、ブランキング期間中等に信号線にプリチャージ電圧を供給することによって、映像信号を書き込む際の電圧振幅を小さくし、所望の映像信号電位に対する書き込み不足を軽減する技術が提案されている。
【０００８】
ここで、対向電極電圧が一定である場合、例えば、１走査線毎、すなわち１水平ライン毎に極性を反転させる水平ライン反転駆動（Ｈライン反転駆動）や画素電極への映像信号書き込み後の保持期間中に補助容量線を変動させることにより画素電極の電位を決定する容量結合駆動（ＣＣ駆動）等の場合には、プリチャージ電圧として対向電極電圧を使用することができる。
【０００９】
一方、対向電極電圧が一定でない場合、例えば、１水平ライン毎に極性を反転させ、この極性反転に同期させて対向電極電圧を極性反転させる水平ラインコモン反転駆動（Ｈラインコモン反転駆動）の場合には、極性反転により対向電極電圧が一定にならないため、プリチャージ電圧として対向電極電圧を使用することはできない。
【００１０】
このため、対向電極電圧が一定でない場合には、対向電極電圧とは別にプリチャージ電圧を供給する回路を設ける必要がある。なお、そのプリチャージ電圧を電源オフ残像の防止のために用いることはできない。これは、プリチャージ電圧が電圧変動に対して輝度変化の最も厳しい中間調電圧付近に設定されるので、シャットダウン時にそのプリチャージ電圧を信号線に供給すると、画素電極と対向電極との間に電位差が発生し、白表示を行うことができないためである。
【特許文献１】特開２００１−１５９８７６号公報
【発明の開示】
【発明が解決しようとする課題】
【００１１】
ところで、電源オフ残像の防止及び白表示モードを行うためには、それぞれに必要とする回路を設けるため、全体として回路は複雑になり、装置も大型化してしまう。さらに、白表示モードでは、走査線駆動回路及び信号線駆動回路による表示動作を行う必要があるため、消費電力が高くなってしまう。
【００１２】
一方、電源オフ残像の防止及び表示品位低下の防止を行うためにも、それぞれに必要とする回路を設けるため、全体として回路は複雑になり、装置も大型化してしまう。特に、対向電極電圧が一定でない場合には、同一回路によって、電源オフ残像の防止のための対向電極電圧の供給と、表示品位低下の防止のためのプリチャージとを両立することは困難である。
【００１３】
本発明は上記に鑑みてなされたものであり、その第１の目的とするところは、表示装置において、同一回路によって電源オフ残像の防止及び白表示モードを実現し、かつ、白表示モードにおける低消費電力化を実現することである。
【００１４】
本発明は上記に鑑みてなされたものであり、その第２の目的とするところは、表示装置において、対向電極電圧が一定でない場合でも、同一回路によって電源オフ残像の防止及び表示品位低下の防止を実現することである。
【課題を解決するための手段】
【００１５】
本発明の実施の形態に係る第１の特徴は、表示装置において、互いに交差させて設けられた複数の走査線及び複数の信号線と、前記複数の走査線及び前記複数の信号線に交差点毎にそれぞれ接続された複数のスイッチ素子と、前記複数のスイッチ素子にそれぞれ接続された複数の画素電極及び複数の補助容量と、前記複数の画素電極に対向させて設けられた対向電極と、前記複数の画素電極と前記対向電極との間に設けられた表示層と、前記複数の走査線をそれぞれ駆動し、かつ、電源をオフするシャットダウン又は白表示を行う白表示モードに応じて前記複数の走査線を一括駆動する走査線駆動回路と、前記複数の信号線をそれぞれ駆動する信号線駆動回路と、前記シャットダウン又は前記白表示モードに応じて前記複数の信号線に前記対向電極の対向電極電圧を供給する供給回路とを備えることである。
【００１６】
本発明の第１の特徴では、シャットダウン又は白表示モードに応じて複数の走査線を一括駆動する走査線駆動回路と、シャットダウン又は白表示モードに応じて複数の信号線に対向電極電圧を供給する供給回路とを設けることによって、シャットダウン時には、対向電極電圧が複数の信号線に供給され、その対向電極電圧が供給された複数の信号線が一括駆動されるので、画素電極と対向電極とが迅速に同電位になり、白表示が速やかに行われる。さらに、白表示モード時にも、同じ供給回路により同様に画素電極と対向電極とが迅速に同電位になり、走査線駆動回路及び信号線駆動回路による表示動作を行うことなく、白表示が速やかに行われる。
【００１７】
本発明の実施の形態に係る第２の特徴は、表示装置において、互いに交差させて設けられた複数の走査線及び複数の信号線と、前記複数の走査線及び前記複数の信号線に交差点毎にそれぞれ接続された複数のスイッチ素子と、前記複数のスイッチ素子にそれぞれ接続された複数の画素電極及び複数の補助容量と、前記複数の走査線をそれぞれ駆動し、かつ、電源をオフするシャットダウンに応じて前記複数の走査線を一括駆動する走査線駆動回路と、前記複数の信号線をそれぞれ駆動する信号線駆動回路と、前記複数の画素電極に対向させて設けられ、極性反転する対向電極電圧を受ける対向電極と、前記複数の画素電極と前記対向電極との間に設けられた表示層と、前記信号線駆動回路による前記複数の信号線の駆動を補助する補助電圧を供給するプリチャージ又は前記シャットダウンに応じて、前記対向電極電圧及び前記対向電極電圧と異なるプリチャージ電圧のいずれか一方を選択して前記複数の信号線に供給する選択供給回路とを備えることである。
【００１８】
本発明の第２の特徴では、シャットダウンに応じて複数の走査線を一括駆動する走査線駆動回路と、プリチャージ又はシャットダウンに応じて対向電極電圧及びプリチャージ電圧のいずれか一方を選択して複数の信号線に供給する選択供給回路とを設けることによって、プリチャージ時には、プリチャージ電圧が複数の信号線に供給されるので、プリチャージが速やかに行われる。さらに、シャットダウン時には、同じ選択供給回路により、対向電極電圧が複数の信号線に供給され、その対向電極電圧が供給された複数の信号線が一括駆動されるので、画素電極と対向電極とが迅速に同電位になり、白表示が速やかに行われる。
【発明の効果】
【００１９】
本発明の第１の特徴によれば、表示装置において、同一回路によって電源オフ残像の防止及び白表示モードを実現することができ、かつ、白表示モードにおける低消費電力化を実現することができる。
【００２０】
本発明の第２の特徴によれば、表示装置において、対向電極電圧が一定でない場合でも、同一回路によって電源オフ残像の防止及び表示品位低下の防止を実現することができる。
【発明を実施するための最良の形態】
【００２１】
（第１の実施の形態）
本発明の第１の実施の形態について図１乃至図３を参照して説明する。
【００２２】
図１に示すように、第１の実施の形態に係る表示装置１は、複数の画素電極２を有するアレイ基板３、各画素電極２に対向する対向電極４を有する対向基板５、及びアレイ基板３と対向基板５との間にシール材６により設けられた表示層７等を備えている。
【００２３】
表示層７は、液晶材料により形成されており、液晶層として機能する。なお、各画素電極２上及び対向電極４上には、配向膜（図示せず）が設けられている。また、アレイ基板３の下方には、バックライト等の光源（図示せず）が設けられている。
【００２４】
図２に示すように、アレイ基板３は、ガラス基板等の絶縁性を有する基板１１と、その基板上に設けられた表示画素部１２、基板１１上に設けられ表示画素部１２に接続された走査線駆動回路１３、基板１１上に設けられ表示画素部１２に接続された信号線駆動回路１４及び基板１１上に設けられ表示画素部１２に接続された供給回路１５等を備えている。
【００２５】
なお、走査線駆動回路１３、信号線駆動回路１４及び供給回路１５は、外部回路である液晶制御回路等のコントローラ１６に接続されている。このコントローラ１６は、走査線駆動回路１３、信号線駆動回路１４及び供給回路１５にそれぞれ各種の制御信号を入力する。
【００２６】
表示画素部１２は、互いに交差させて格子状（マトリクス状）に設けられた複数の走査線２１及び複数の信号線２２、各走査線２１及び各信号線２２に交差点毎にそれぞれ接続された複数のスイッチ素子２３、各スイッチ素子２３にそれぞれ接続された複数の画素電極２、及び各スイッチ素子２３にそれぞれ接続された複数の補助容量２４等から構成されている。この表示画素部１２は表示領域として機能する。なお、表示領域は、液晶の配向状態の変化により画像を表示する領域である。
【００２７】
各走査線２１は走査線駆動回路１３にそれぞれ接続されている。また、各信号線２２は信号線駆動回路１４及び供給回路１５にそれぞれ接続されている。スイッチ素子２３は、例えば３端子を有するトランジスタである。このスイッチ素子２３は、そのゲート電極を走査線２１に接続し、そのソース電極を信号線２２に接続し、さらに、そのドレイン電極を画素電極２及び補助容量２４に接続することによって設けられている。スイッチ素子２３としては、例えば薄膜トランジスタを用いる。補助容量２４は、画素電極２に印加された電圧を保持するための容量である。補助容量としては、例えばコンデンサ（キャパシタ）を用いる。ここで、対向電極４の電位は一定である。
【００２８】
走査線駆動回路１３は、コントローラ１６から入力される制御信号に基づいて、各走査線２１に対し１走査線毎（１水平走査期間毎）に走査信号を順次出力することで、各走査線２１をそれぞれ駆動する回路である。さらに、走査線駆動回路１３は、電源をオフするシャットダウン又は白表示を行う白表示モードに応じて、全ての走査線２１を一括駆動する回路である。この走査線駆動回路１３は、シフトレジスタやバッファ等により構成されている。なお、走査信号はスイッチ素子２３を駆動（オン）する信号である。
【００２９】
ここで、シャットダウンは、電源をオフする動作、すなわち電源からの電力供給を遮断する動作である。白表示モードは、表示装置１をビデオカメラに搭載した場合等、撮影対象物を照らす照明として表示装置１を使用する場合に用いるモードである。
【００３０】
信号線駆動回路１４は、コントローラ１６から入力される制御信号に基づいて、各信号線２２に対し走査信号に同期させて映像信号をそれぞれ出力することで、各信号線２２をそれぞれ駆動する回路である。この信号線駆動回路１４は、シフトレジスタやバッファ、スイッチ等により構成されている。なお、映像信号（画像信号）は映像データに基づいて画素電極２に電圧を与える信号である。
【００３１】
供給回路１５は、プリチャージ又はシャットダウン又は白表示モードに応じて、複数の信号線２２に対向電極４の対向電極電圧を供給する回路である。ここで、プリチャージは、信号線駆動回路１４による複数の信号線２２の駆動を補助する補助電圧を供給する動作である。なお、プリチャージは、信号線駆動回路１４による複数の信号線２２の駆動前に行われる。
【００３２】
この供給回路１５は、図３に示すように、プリチャージ信号ＰＣＧ及びシャットダウン信号ＯＥＶＥに基づいて、複数の信号線２２に対向電極電圧を供給する。プリチャージ信号ＰＣＧ及びシャットダウン信号ＯＥＶＥは、コントローラ１６から入力される制御信号である。なお、プリチャージ信号ＰＣＧは、通常、低電位であり、プリチャージを行う場合に高電位になる。シャットダウン信号ＯＥＶＥは、通常、高電位であり、シャットダウン又は白表示モードを行う場合に低電位になる。
【００３３】
供給回路１５は、プリチャージ信号ＰＣＧが入力され、さらにシャットダウン信号ＯＥＶＥがＮＯＴ回路３１を介して入力されるＮＯＲ回路３２、及びそのＮＯＲ回路３２から出力されたプリチャージ信号ＰＣＧ−及びＮＯＲ回路３２から出力されＮＯＴ回路３３により論理反転されたプリチャージ信号ＰＣＧ＋に基づいてオン／オフ（ＯＮ／ＯＦＦ）する複数のスイッチ３４等から構成されている。なお、ＮＯＴ回路３１により論理反転されたシャットダウン信号／ＯＥＶＥは、再びＮＯＴ回路３５により論理反転され、シャットダウン信号ＯＥＶＥとして走査線駆動回路１３に入力される。
【００３４】
スイッチ３４には、信号線２２が接続されている。このスイッチ３４は、オン／オフにより信号線２２に対する対向電極電圧の供給を制御する。なお、スイッチ３４は、第１のスイッチとして機能する。
【００３５】
ここで、スイッチ３４は、シャットダウン信号ＯＥＶＥが高電位である場合、プリチャージ信号ＰＣＧが高電位になると、オン状態になり、信号線２２に対する対向電極電圧の供給を行い、プリチャージ信号ＰＣＧが低電位になると、オフ状態になり、信号線２２に対する対向電極電圧の供給を停止する。さらに、スイッチ３４は、シャットダウン信号ＯＥＶＥが低電位になると、プリチャージ信号ＰＣＧに依存せずにオン状態になり、信号線２２に対する対向電極電圧の供給を行う。
【００３６】
このような構成の表示装置１は、走査線駆動回路１３により、複数の走査線２１に対して１走査線毎に走査信号を順方向又は逆方向に順次出力し、１走査線毎に複数のスイッチ素子２３を駆動する。次いで、表示装置１は、信号線駆動回路１４により、スイッチ素子２３が駆動状態（オン状態）にある走査線２１に接続された複数の画素電極２及び補助容量２４に映像信号を走査信号に同期させて１走査線毎に順次書き込む。これにより、画素電極２と対向電極４との間の表示層７の透過光量が変化する。このような書込動作（表示動作）により、所定の画像データに基づく映像信号が全ての画素電極２に書き込まれ、１フレーム分の画像が表示される。
【００３７】
ブランキング期間中にプリチャージを行う場合には、プリチャージ信号ＰＣＧは高電位になる。このとき、シャットダウン信号ＯＥＶＥが高電位であるため、ＮＯＲ回路３２に入力される反転信号のシャットダウン信号／ＯＥＶＥは低電位となる。したがって、プリチャージ信号ＰＣＧ−は低電位となり、プリチャージ信号ＰＣＧ＋はＮＯＴ回路３３により高電位となる。これにより、各スイッチ３４はＯＮ状態になり、各信号線２２に対向電極電圧が供給される。
【００３８】
一方、シャットダウン又は白表示モードを行う場合には、シャットダウン信号ＯＥＶＥは低電位になる。このとき、シャットダウン信号ＯＥＶＥが低電位になるため、ＮＯＲ回路３２に入力される反転信号のシャットダウン信号／ＯＥＶＥは高電位となる。したがって、プリチャージ信号ＰＣＧの電位に依存せずに、プリチャージ信号ＰＣＧ−は低電位となり、プリチャージ信号ＰＣＧ＋はＮＯＴ回路３３により高電位となる。これにより、各スイッチ３４はＯＮ状態になり、各信号線２２に対向電極電圧が供給される。
【００３９】
また、走査線駆動回路１３は、供給回路１５から入力されるシャットダウン信号ＯＥＶＥが低電位になると、全ての走査線２１にスイッチ素子２３を駆動するための電圧を供給し、全てのスイッチ素子２３を一括駆動する。これにより、対向電極電位と同電位になった信号線電位が画素電極２に書き込まれ、最終的に対向電極と画素電極とが迅速に同電位になり、白表示が速やかに行われる。
【００４０】
このように第１の実施の形態によれば、シャットダウン又は白表示モードに応じて複数の走査線２１を一括駆動する走査線駆動回路１３と、シャットダウン又は白表示モードに応じて、複数の信号線２２に対向電極電圧を供給する供給回路１５とを設けることによって、シャットダウン時には、対向電極電圧が複数の信号線２２に供給され、その対向電極電圧が供給された複数の信号線２２が一括駆動されるので、画素電極２と対向電極４とが迅速に同電位になり、白表示が速やかに行われる。さらに、白表示モード時にも、同じ供給回路１５により同様に画素電極２と対向電極４とが迅速に同電位になり、走査線駆動回路１３及び信号線駆動回路１４は表示動作を行うことなく、白表示が速やかに行われる。したがって、供給回路１５という同一回路によって、電源オフ残像の防止及び白表示モードを実現することができ、かつ、白表示モードにおける低消費電力化を実現することができる。
【００４１】
さらに、供給回路１５がプリチャージに応じて複数の信号線２２に補助電圧として対向電極電圧を供給することによって、補助電圧として対向電極電圧を用いてプリチャージを行うことが可能になるので、供給回路１５という同一回路により表示品位低下の防止を実現することができる。
【００４２】
また、供給回路１５は、複数の信号線２２にそれぞれ接続されシャットダウン又は白表示モードに応じて変位する制御信号（例えばシャットダウン信号ＯＥＶＥ）に基づいてオン／オフし、対向電極電圧を供給する複数のスイッチ３４を備えていることによって、簡単な構成により供給回路１５という同一回路を表示装置１に設けることができる。
【００４３】
（第２の実施の形態）
本発明の第２の実施の形態について図４乃至図６を参照して説明する。
【００４４】
本発明の第２の実施の形態は、基本的に第１の実施の形態と同様である。第２の実施の形態では、第１の実施の形態との相違点について説明する。なお、第１の実施の形態で説明した部分と同一部分は同一符号で示し、その説明は省略する。
【００４５】
第２の実施の形態に係る表示装置１は、走査線単位、すなわち水平ライン単位で映像信号の極性を反転させ、この極性反転に同期させて対向電極電圧を極性反転させる水平ラインコモン反転駆動を行う。なお、第２の実施の形態では、表示装置１は１走査線毎、すなわち１水平ライン毎に映像信号の極性を反転させる。
【００４６】
図４に示すように、アレイ基板３は、第１の実施の形態の供給回路１５に換えて選択供給回路５１を備えている。この選択供給回路５１には、各信号線２２がそれぞれ接続されている。
【００４７】
走査線駆動回路１３は、コントローラ１６から入力される制御信号に基づいて、各走査線２１に対し１走査線毎（１水平走査期間毎）に走査信号を順次出力することで、各走査線２１をそれぞれ駆動する回路である。さらに、走査線駆動回路１３は、シャットダウンに応じて全ての走査線２１を一括駆動する回路である。この走査線駆動回路１３は、シフトレジスタやバッファ等により構成されている。
【００４８】
信号線駆動回路１４は、コントローラ１６から入力される制御信号に基づいて、各信号線２２に対し走査信号に同期させて映像信号をそれぞれ出力することで、各信号線２２をそれぞれ駆動する回路である。このとき、信号線駆動回路１４は、コントローラ１６から入力される制御信号に基づいて、１走査線毎に電圧極性（映像信号の極性）を反転させて信号線２２に映像信号を出力する。この信号線駆動回路１４は、シフトレジスタやバッファ、スイッチ等により構成されている。
【００４９】
コントローラ１６は、電圧極性の反転に同期させて対向電極電圧を極性反転させ、その対向電極電圧を対向電極４に供給する。これにより、信号線２２に出力する映像信号の電圧振幅を低減することができる。なお、対向電極４は、電圧極性の反転に応じて極性反転する対向電極電圧を受ける電極である。
【００５０】
選択供給回路５１は、プリチャージ又はシャットダウンに応じて、対向電極電圧及びその対向電極電圧と異なるプリチャージ電圧のいずれか一方を選択して複数の信号線２２に供給する回路である。
【００５１】
この選択供給回路５１は、図５に示すように、プリチャージ信号ＰＣＧ及びシャットダウン信号ＯＥＶＥに基づいて、対向電極電圧及びプリチャージ電圧のいずれか一方の電圧を選択し、選択した電圧を複数の信号線２２に供給する。プリチャージ信号ＰＣＧ及びシャットダウン信号ＯＥＶＥは、コントローラ１６から入力される制御信号である。なお、プリチャージ信号ＰＣＧは、通常、低電位であり、プリチャージを行う場合に高電位になる。シャットダウン信号ＯＥＶＥは、通常、高電位であり、シャットダウンを行う場合に低電位になる。
【００５２】
選択供給回路５１は、図５に示すように、プリチャージ信号ＰＣＧが入力され、さらにシャットダウン信号ＯＥＶＥがＮＯＴ回路６１を介して入力されるＮＯＲ回路６２、そのＮＯＲ回路６２から出力されたプリチャージ信号ＰＣＧ−及びＮＯＲ回路６２から出力されＮＯＴ回路６３により論理反転されたプリチャージ信号ＰＣＧ＋に基づいてオン／オフ（ＯＮ／ＯＦＦ）する複数のスイッチ６４、各スイッチ６４に接続されシャットダウン信号ＯＥＶＥ及びその反転信号であるシャットダウン信号／ＯＥＶＥに基づいてオン／オフするスイッチ６５、及び各スイッチ６４に接続されシャットダウン信号ＯＥＶＥ及びその反転信号であるシャットダウン信号／ＯＥＶＥに基づいてオン／オフするスイッチ６６等から構成されている。なお、ＮＯＴ回路６１により論理反転されたシャットダウン信号／ＯＥＶＥは、再びＮＯＴ回路６７により論理反転され、シャットダウン信号ＯＥＶＥとして走査線駆動回路１３に入力される。
【００５３】
各スイッチ６４には、各信号線２２がそれぞれ接続されている。複数のスイッチ６４、スイッチ６５及びスイッチ６６は、オン／オフにより各信号線２２に対する対向電極電圧又はプリチャージ電圧の供給を制御する。すなわち、スイッチ６５及びスイッチ６６はオン／オフにより対向電極電圧又はプリチャージ電圧のいずれか一方を選択し、スイッチ素子６４は、スイッチ６５及びスイッチ６６により選択された対向電極電圧又はプリチャージ電圧のいずれか一方を信号線２２に供給する。なお、スイッチ６５及びスイッチ６６は第２のスイッチとして機能し、複数のスイッチ素子６４は第３のスイッチとして機能する。
【００５４】
ここで、スイッチ６４は、シャットダウン信号ＯＥＶＥが高電位である場合、プリチャージ信号ＰＣＧが高電位になると、オン状態になり、プリチャージ信号ＰＣＧが低電位になると、オフ状態になる。さらに、スイッチ６４は、シャットダウン信号ＯＥＶＥが低電位になると、プリチャージ信号ＰＣＧに依存せずにオン状態になる。スイッチ６５は、シャットダウン信号ＯＥＶＥが高電位であり、その反転信号のシャットダウン信号／ＯＥＶＥが低電位である場合、オン状態になる。一方、スイッチ６６は、シャットダウン信号ＯＥＶＥが低電位であり、その反転信号のシャットダウン信号／ＯＥＶＥが高電位である場合、オン状態になる。
【００５５】
このような構成の表示装置１は、走査線駆動回路１３により、複数の走査線２１に対して１走査線毎に走査信号を順方向又は逆方向に順次出力し、１走査線毎に複数のスイッチ素子２３を駆動する。次いで、表示装置１は、信号線駆動回路１４により、スイッチ素子２３が駆動状態（オン状態）にある走査線２１に接続された複数の画素電極２及び補助容量２４に映像信号を走査信号に同期させて１走査線毎に順次書き込む。なお、表示装置１は、１走査線毎に映像信号の極性を反転させて画素電極２及び補助容量２４に映像信号を書き込み、同時に、その極性反転に応じて対向電極電圧を極性反転させる。このようにして、画素電極２と対向電極４との間の表示層７の透過光量が変化する。この書込動作（表示動作）により、所定の画像データに基づく映像信号が全ての画素電極２に書き込まれ、１フレーム分の画像が表示される。
【００５６】
ブランキング期間中にプリチャージを行う場合には、プリチャージ信号ＰＣＧは高電位になる。このとき、シャットダウン信号ＯＥＶＥが高電位であるため、ＮＯＲ回路６２に入力される反転信号のシャットダウン信号／ＯＥＶＥは低電位となる。したがって、プリチャージ信号ＰＣＧ−は低電位となり、プリチャージ信号ＰＣＧ＋はＮＯＴ回路６３により高電位となる。これにより、各スイッチ６４はＯＮ状態になる。加えて、シャットダウン信号ＯＥＶＥが高電位であり、その反転信号のシャットダウン信号／ＯＥＶＥが低電位であるため、スイッチ６５はオン状態になり、スイッチ６６はオフ状態になる。これにより、プリチャージ電圧が各信号線２２に供給される。
【００５７】
一方、シャットダウンを行う場合には、シャットダウン信号ＯＥＶＥは低電位になる。このとき、シャットダウン信号ＯＥＶＥが低電位になるため、ＮＯＲ回路６２に入力される反転信号のシャットダウン信号／ＯＥＶＥは高電位となる。したがって、プリチャージ信号ＰＣＧの電位に依存せずに、プリチャージ信号ＰＣＧ−は低電位になり、プリチャージ信号ＰＣＧ＋はＮＯＴ回路６３により高電位になる。これにより、各スイッチ６４はＯＮ状態になる。加えて、シャットダウン信号ＯＥＶＥが低電位であり、その反転信号のシャットダウン信号／ＯＥＶＥが高電位であるため、スイッチ６５はオフ状態になり、スイッチ６６はオン状態になる。これにより、対向電極電圧が各信号線２２に供給される。
【００５８】
また、走査線駆動回路１３は、供給回路１５から入力されるシャットダウン信号ＯＥＶＥが低電位になると、全ての走査線２１にスイッチ素子２３を駆動するための電圧を供給し、全てのスイッチ素子２３を一括駆動する。これにより、対向電極電位と同電位になった信号線電位が画素電極２に書き込まれ、最終的に対向電極と画素電極が迅速に同電位になり、白表示が速やかに行われる。
【００５９】
このように第２の実施の形態によれば、シャットダウンに応じて複数の走査線２１を一括駆動する走査線駆動回路１３と、プリチャージ又はシャットダウンに応じて対向電極電圧及びプリチャージ電圧のいずれか一方を選択して複数の信号線２２に供給する選択供給回路５１とを設けることによって、プリチャージ時には、プリチャージ電圧が複数の信号線２２に供給されるので、プリチャージが速やかに行われる。さらに、シャットダウン時には、同じ選択供給回路５１により、対向電極電圧が複数の信号線２２に供給され、その対向電極電圧が供給された複数の信号線２２が一括駆動されるので、画素電極２と対向電極４とが迅速に同電位になり、白表示が速やかに行われる。したがって、対向電極電圧が一定でない場合でも、選択供給回路５１という同一回路によって電源オフ残像の防止及び表示品位低下の防止を実現することができる。
【００６０】
また、選択供給回路５１は、シャットダウンに応じて変位する制御信号（例えばシャットダウン信号ＯＥＶＥ）に基づいてオン／オフし対向電極電圧又はプリチャージ電圧のいずれか一方を選択するスイッチ６５，６６と、このスイッチ６５，６６と各信号線２２との間にそれぞれ接続されプリチャージに応じて変位する制御信号（例えばプリチャージ信号）に基づいてオン／オフし、スイッチ６５，６６により選択された対向電極電圧又はプリチャージ電圧のいずれか一方を複数の信号線２２に供給する複数のスイッチ６４とを備えていることによって、簡単な構成により選択供給回路５１という同一回路を表示装置１に設けることができる。
【００６１】
ここで、プリチャージを行わない場合とブランキング期間中にプリチャージを行う場合とを比較してプリチャージの効果について説明する。
【００６２】
図６に示すように、プリチャージを行わない場合には（プリチャージなし）、信号線２２の初期電位は０．６Ｖである。この状態で、信号線駆動回路１４により映像信号電圧４．６Ｖが信号線２２に書き込まれる。このとき、４．０Ｖ振幅の書き込みが行われる（４．６−０．６＝４．０Ｖ）。
【００６３】
一方、図６に示すように、例えばプリチャージ電圧を２．６Ｖとして、プリチャージを行った場合には（プリチャージあり）、信号線２２の初期電位は２．６Ｖとなる。この状態で、信号線駆動回路１４により映像信号電圧４．６Ｖが信号線２２に書き込まれる。このとき、２．０Ｖ振幅の書き込みが行われる（４．６−２．６＝２．０Ｖ）。
【００６４】
ここで、図６に示すように、例えば、書き込み時間（書込時間）がＡである場合には、プリチャージなしの書き込み後の信号線２２の電位は４．３５Ｖであり、書き込み不足は０．２５Ｖ（４．６０−４．３５＝０．２５Ｖ）となるが、プリチャージありの書き込み後の信号線２２の電位は４．４５Ｖとなり、書き込み不足は０．１５Ｖ（４．６０−４．４５＝０．１５Ｖ）となるので、信号線２２に対する映像信号電圧の書き込み不足を抑えることができる。
【００６５】
したがって、プリチャージを行うことにより、信号線２２に対する書き込み振幅が小さくなるので（ここでは４．０Ｖから２．０Ｖになる）、信号線２２に対する映像信号電圧の書き込み不足を抑えることができる。これにより、表示品位の低下を防止することができる。また、図６に示すように、信号線２２に対する映像信号の書き込み時間が短くなるほど、プリチャージによる映像信号の書き込み不足を抑える効果は大きくなる。
【００６６】
なお、第１及び第２の各実施の形態においては、表示層７として液晶層を用いているが、これに限るものではない。
【図面の簡単な説明】
【００６７】
【図１】本発明の第１の実施の形態に係る表示装置の概略構成を示す断面図である。
【図２】図１に示す表示装置の概略構成を示す平面図である。
【図３】図２に示す表示装置が備える供給回路の概略構成を示す回路図である。
【図４】本発明の第２の実施の形態に係る表示装置の概略構成を示す平面図である。
【図５】図４に示す表示装置が備える選択供給回路の概略構成を示す回路図である。
【図６】プリチャージの効果を説明するための説明図である。
【符号の説明】
【００６８】
１            表示装置
２            画素電極
４            対向電極
７            表示層
１３          走査線駆動回路
１４          信号線駆動回路
１５          供給回路
２１          走査線
２２          信号線
２３          スイッチ素子
２４          補助容量
３４          第１のスイッチ
５１          選択供給回路
６４          第３のスイッチ
６５，６６    第２のスイッチ
【図１】
2006308982.tif 000003
【図２】
2006308982.tif 000004
【図３】
2006308982.tif 000005
【図４】
2006308982.tif 000006
【図５】
2006308982.tif 000007
【図６】
2006308982.tif 000008